(57)【要約】【課題】テープ貼付装置において、粘着テープの先端部を確実に把持する。【解決手段】フィードチャック７０が粘着テープ５をテープロール５ａから所定長さ引き出し、その先端近傍を端末チャック７１が把持する。フィードチャック７０は開放されてから原点位置に戻され、そこで再び粘着テープ５を把持する。テープ押さえ部材７３を下降させた後、しごきローラ７４が袋３の端面３ｃに沿って転動し、粘着テープ５の先端側を袋３の端面３ｃに押し付けながら密着させ、口折り部６６に粘着テープ５を貼り付けて封止する。テープカッター７５を下降させ、粘着テープ５に張力がかかった状態で切断し、フィードチャック７０によって把持された部位が粘着テープ５の新たな先端部になる。この後、テープ押さえ部材７３の後部に控えていたしごきローラ７６がテープ押さえ部材７３から離れる方向に転動を開始し、袋３の上面に粘着テープ５を貼り付ける。【選択図】        図１
2005280849.tif 000002
【特許請求の範囲】
【請求項１】
粘着テープの先端部近傍を把持して所定距離移動し、粘着テープをロール状に巻き付けられたテープロールから所定長引き出すフィードチャックと、所定長引き出された粘着テープのフィードチャックによって把持された部位近傍のテープロール側の所定位置を把持する端末チャックとを備え、端末チャックが粘着テープの前記所定位置を把持した後、フィードチャックが前記粘着テープの先端部近傍の把持を解除して元の位置に復帰し、再び粘着テープを把持した後、この把持位置が粘着テープの新たな先端部近傍となるように、前記把持位置に近い端末チャック側の所定位置で粘着テープを切断することを特徴とするテープ貼付装置。
【発明の詳細な説明】
【技術分野】
【０００１】
本発明は、テープ貼付装置に関し、更に詳しくは包装材料の袋口部を粘着テープで袋の端面に固定するテープ貼付装置に関するものである。
【背景技術】
【０００２】
テープ貼付装置としては、箱の上面に沿って連続的に送り出される粘着テープを切断して箱の上面から側面にかけて粘着テープをＬ字状に貼り付けるものが知られている（例えば特許文献１）。このテープ貼付装置は、テープホルダから引き出された粘着テープの先端部を吸引パッドが吸着して保持し、箱の上面まで移動した後、降下して粘着テープの先端部を箱の上面に貼り付ける。この後、粘着テープを所定の長さで切断するとともに、しごきローラが降下して切断された側の粘着テープを箱の側面に貼り付ける。
【特許文献１】特開平３−１７６３４４号公報
【発明の開示】
【発明が解決しようとする課題】
【０００３】
上記特許文献１記載のテープ貼付装置では、通常の粘着テープは剛性が低いため、吸引パッドの吸着力を十分に大きくできず、粘着テープの保持が不安定になりやすいという問題がある。
【０００４】
本発明は、上記課題を解決するためになされたもので、粘着テープの先端部を確実に把持することができるテープ貼付装置を提供することを目的とする。
【課題を解決するための手段】
【０００５】
本発明のテープ貼付装置は、粘着テープの先端部近傍を把持して所定距離移動し、粘着テープをロール状に巻き付けられたテープロールから所定長引き出すフィードチャックと、所定長引き出された粘着テープのフィードチャックによって把持された部位近傍のテープロール側の所定位置を把持する端末チャックとを備え、端末チャックが粘着テープの前記所定位置を把持した後、フィードチャックが前記粘着テープの先端部近傍の把持を解除して元の位置に復帰し、再び粘着テープを把持した後、この把持位置が粘着テープの新たな先端部近傍となるように、前記把持位置に近い端末チャック側の所定位置で粘着テープを切断することを特徴とする。
【発明の効果】
【０００６】
本発明のテープ貼付装置によれば、フィードチャックが粘着テープの先端部近傍を把持してテープロールから所定長引き出した後、フィードチャックが把持した部位近傍のテープロール側の所定位置を端末チャックが把持し、次にフィードチャックが先端部近傍の把持を解除して元の位置に復帰し、再び粘着テープを把持した後、この把持位置が粘着テープの新たな先端部近傍となるように、前記把持位置に近い端末チャック側の所定位置で粘着テープを切断するので、フィードチャックで粘着テープの先端部を確実に把持することができる。
【発明を実施するための最良の形態】
【０００７】
本発明のテープ貼付装置を示す図１において、製品（ロール状感光材料）がピロータイプ包装装置の製袋部で包装され、この袋３がコンベア４０，４３で運ばれてくる。このコンベア４０，４３の上方にテープ貼付装置６７が配置されている。なお、製品を包装する袋３は、例えばクラフト紙に黒ポリエチレンをラミネートした包装材料から形成される。
【０００８】
テープ貼付装置６７には、粘着テープ５をロール状に巻き付けたテープロール５ａが装填される。テープ貼付装置６７は、粘着テープ５の先端部を把持してテープロール５ａから粘着テープ５を所定長引き出すフィードチャック７０と、引き出された粘着テープ５のフィードチャック７０が把持した部位のテープロール５ａ側近傍を把持する端末チャック７１と、引き出された粘着テープ５のほぼ中央部を袋３の上面に押しつけて貼り付けるテープ押さえ部材７３と、袋３の端面３ｃに沿って転動して粘着テープ５の先端側を袋３の端面３ｃに押し付けながら貼り付けるしごきローラ７４と、粘着テープ５を所定位置で切断するテープカッター７５と、袋３の上面に粘着テープ５を貼り付けるしごきローラ７６とから構成される。
【０００９】
図２に示すように、粘着テープ５は、フィードチャック７０によってテープロール５ａより所定長さ（符号７０ａの位置まで）引き出された後（Ａ）、その先端近傍を端末チャック７１に把持される（Ｂ）。次に、フィードチャック７０は開放されてから原点位置に戻され、そこで再び粘着テープ５を把持する（Ｂ）。
【００１０】
そして、袋３の端面３ｃよりも若干量つき出た状態で製品を保持するように位置決めされたテープ押さえ部材７３を下降させた後、しごきローラ７４が袋３の端面３ｃに沿って転動し、粘着テープ５の先端側を袋３の端面３ｃに押し付けながら密着させ、口折り部６６に粘着テープ５を貼り付けて封止する。このとき、テープ押さえ部材７３が袋３の端面３ｃよりも若干量つき出ているので、しごきローラ７４が袋３の角３ｄに接触してこれを押しつぶすことが防止される。
【００１１】
これと同時にフィードチャック７０近傍にテープカッター７５を下降させ、粘着テープ５に張力がかかった状態で切断する（Ｃ）。これにより、フィードチャック７０によって把持された部位が粘着テープ５の新たな先端部になる。この直後に、テープ押さえ部材７３の後部に控えていたしごきローラ７６がテープ押さえ部材７３から離れる方向に転動を開始し、袋３の上面に粘着テープ５を貼り付ける。
【図面の簡単な説明】
【００１２】
【図１】本発明を実施したテープ貼付装置の概略図である。
【図２】テープ貼付装置の動作を示す説明図である。
【符号の説明】
【００１３】
３  袋
３ｃ  端面
３ｄ  角
５  粘着テープ
６６  口折り部
６７  テープ貼付装置
７０  フィードチャック
７１  端末チャック
７３  テープ押さえ部材
７４，７６  しごきローラ
７５  テープカッター
【図１】
2005280849.tif 000003
【図２】
2005280849.tif 000004